(57)【特許請求の範囲】
【請求項１】
波長分割多重ネットワークシステムにおいて、各ノードで光ファイバを通して順方向及び逆方向に波長分割多重信号を伝送する両方向アッド／ドロップ多重化器において、
両方向信号をアッド及びドロップする手段を備え、
前記順方向及び逆方向のチャネルをインターリービングし、前記インターリービングされた光信号をチャネル別にアッド／ドロップし、前記アッド／ドロップされた光信号を順方向光信号及び逆方向光信号にデインターリービングすることを特徴とする両方向アッド／ドロップ多重化器。
【請求項２】
前記両方向アッド／ドロップ多重化器において、
第１ノードと、第２ノードと、及び第３ノードを備えて、前記第１ノードで受信された前記順方向光信号及び前記第２ノードで受信された前記逆方向光信号をインターリービングして前記第３ノードを通して出力する第１インターリーバと、
前記第１インターリーバから出力された前記インターリービングされた順方向及び逆方向光信号に／から選択されたチャネルをアッド及びドロップするアッド／ドロップ多重化器と、
第１及び第２ノードを備えて、前記アッド／ドロップ多重化器から出力された光信号をチャネル別に前記順方向光信号及び前記逆方向光信号にデインターリービングし、前記デインターリービングされた順方向光信号及び逆方向光信号をそれぞれ前記第１及び第２ノードに出力する第２インターリーバと、
を含むことを特徴とする請求項１記載の両方向アッド／ドロップ多重化器。
【請求項３】
前記両方向アッド／ドロップ多重化器において、
前記順方向光信号を前記第１インターリーバの第１ノードに提供し、前記第２インターリーバの第１ノードで出力された前記逆方向光信号を前記光ファイバに提供する第１光サーキュレーターと、
前記逆方向光信号を前記第１インターリーバの第２ノードに提供し、前記第２インターリーバの第２ノードで出力された前記順方向光信号を前記光ファイバに提供する第２光サーキュレーターと、
をさらに含むことを特徴とする請求項２記載の両方向アッド／ドロップ多重化器。
【請求項４】
前記両方向アッド／ドロップ多重化器において、
前記アッド／ドロップ多重化器の入力ノード及び出力ノードにそれぞれ提供される第１及び第２光増幅器と、
前記第１インターリーバの第３ノードと前記アッド／ドロップ多重化器の入力ノードとの間に提供されて色分散を補償する分散補償モジュールと、
をさらに含むことを特徴とする請求項２記載の両方向アッド／ドロップ多重化器。
【請求項５】
両方向波長分割多重光伝送システムにおいて、
送信の前にマルチチャネルの光信号を多重化し、受信されたマルチチャネルの光信号を逆多重化する第１及び第２送受信部と、
前記第１送受信部から受信された光信号チャネル及び前記第２送受信部から受信された光信号チャネルをインターリービングし、前記インターリービングされた光信号をチャネル別にアッド／ドロップし、前記アッド／ドロップされた光信号を第１光信号及び第２光信号にデインターリービングし、前記第１及び第２光信号をそれぞれ前記第１及び第２送受信部に提供する両方向ＷＤＭ−ＡＤＭと、
を含むことを特徴とする両方向波長分割多重光伝送システム。
【請求項６】
両方向波長分割多重光伝送システムにおいて、前記ＷＤＭ−ＡＤＭは、
第１ノード、第２ノード、及び第３ノードを備えて、前記第１ノードで受信された前記順方向光信号及び前記第２ノードで受信された前記逆方向光信号をインターリービングして前記第３ノードを通して出力する第１インターリーバと、
前記第１インターリーバから出力された前記インターリービングされた順方向及び逆方向光信号に／から選択されたチャネルをアッド及びドロップするアッド／ドロップ多重化器と、
第１及び第２ノードを備えて、前記アッド／ドロップ多重化器から出力された光信号をチャネル別に前記順方向光信号及び前記逆方向光信号にデインターリービングし、前記デインターリービングされた順方向光信号及び前記逆方向光信号をそれぞれ前記第１及び第２ノードを通して出力する第２インターリーバと、
を含むことを特徴とする請求項５記載の両方向波長分割多重光伝送システム。
【請求項７】
両方向波長分割多重光伝送システムにおいて、前記ＷＤＭ−ＡＤＭは、
前記アッド／ドロップ多重化器の入力ノード及び出力ノードに提供される第１及び第２光増幅器と、
前記第１インターリーバの第３ノードと前記アッド／ドロップ多重化器の入力ノードとの間に提供される色分散補償モジュールと、
を含む請求項５記載の両方向波長分割多重光伝送システム。
【請求項８】
両方向波長分割多重光伝送システムにおいて、
送信の前にマルチチャネルの光信号を多重化し、受信されたマルチチャネルの光信号を逆多重化する第１及び第２送受信部と、
第１ノード、第２ノード、及び第３ノードを備えて、前記第１ノードで受信された前記順方向光信号及び前記第２ノードで受信された前記逆方向光信号をインターリービングして前記第３ノードを通して出力する第１インターリーバと、前記第１インターリーバから出力された前記インターリービングされた順方向及び逆方向光信号に／から選択されたチャネルをアッド及びドロップするアッド／ドロップ多重化器と、第１及び第２ノードを備えて、前記アッド／ドロップ多重化器から出力された光信号をチャネル別に前記順方向光信号及び前記逆方向光信号にデインターリービングし、前記デインターリービングされた順方向光信号及び前記逆方向光信号をそれぞれ前記第１及び第２ノードを通して出力する第２インターリーバと、前記順方向光信号を前記第１インターリーバの第１ノードに提供し、前記第２インターリーバの第１ノードで出力された前記逆方向光信号を前記光ファイバに提供する第１光サーキュレーターと、前記逆方向光信号を前記第１インターリーバの第２ノードに提供し、前記第２インターリーバの第２ノードで出力された前記順方向光信号を前記光ファイバに提供する第２光サーキュレーターと、から構成される両方向ＷＤＭ−ＡＤＭと、
を含むことを特徴とする両方向波長分割多重光伝送システム。
【請求項９】
両方向波長分割多重光伝送システムにおいて、前記ＷＤＭ−ＡＤＭは、
前記アッド／ドロップ多重化器の入力ノード及び出力ノードに提供される第１及び第２光増幅器と、
前記第１インターリーバの第３ノードと前記アッド／ドロップ多重化器の入力ノードとの間に提供されて色分散を補償する分散補償モジュールと、
を含むことを特徴とする請求項８記載の両方向波長分割多重光伝送システム。
【発明の詳細な説明】
【０００１】
【発明の属する技術分野】
本発明は、波長分割多重（Wavelength Division Multiplexing：以下、ＷＤＭと称する）光伝送に関し、特に、両方向ＷＤＭアッド／ドロップ多重化器（add/drop multiplexer）及びそれを備える両方向ＷＤＭ光伝送システムに関する。
【０００２】
【従来の技術】
複数のチャネルを伝送する方法の１つである波長分割多重方式（ＷＤＭ）を使用すると、同一の光ファイバ内で複数の波長を伝送するようになる。ここで、各チャネルは、自分の波長を有し、全ての波長は、重複されないほどに離れている。従って、前記ＷＤＭ方式を採用する光伝送システムは、伝送効率が向上し、特に、高速インターネット網において有用である。
【０００３】
二地点間接続を基にする光通信ネットワークにおいて、２つの地点間に光信号を効率的に交換することは非常に難しい。従って、新しい光伝送信号をアッドし、光電変換を必要とせずに所定のノードで所望する光信号のみをドロップするアッド／ドロップ多重化器（Add/Drop Multiplexer: 以下、ＡＤＭと称する）が提案された。
【０００４】
図１は、従来の単方向ＷＤＭ−ＡＤＭ光伝送システムの構成を示す。前記従来の単方向ＷＤＭ−ＡＤＭ光伝送システムは、同一の光ファイバを通して同一の方向に進行する光信号のみをアッド及びドロップすることができる単方向ＷＤＭ−ＡＤＭを備える。つまり、前記単方向ＷＤＭ−ＡＤＭは、特定のノードから一方向に入ってくるＷＤＭ光信号を逆多重化器Ｄｅｍを利用して逆多重化（または、分離）した後、他のノードに光信号をドロップする。同時に、前記単方向ＷＤＭ−ＡＤＭは、多重化器Ｍｕｘを使用して特定のノードからの新しい光信号を多重化（または、組合せ）した後、同一の光ファイバを通して他のノードに送る。図１において、“Ａ”で表示される上位ブロックは順方向（west→east）の単方向伝送を表現し、“Ｂ”で表示される下位ブロックは逆方向（east→west）の単方向伝送を表現する。
【０００５】
しかしながら、前記単方向ＷＤＭ−ＡＤＭが限定した光波長数を有する光バンドを通して光信号を伝送する時は、隣接したチャネル間に干渉が発生する。前記単方向ＷＤＭ−ＡＤＭは、一つの光ファイバを通して比較的に数多い光チャネル信号を伝送することができない。従って、前記単方向ＷＤＭ−ＡＤＭは、両方向に光信号を伝送するために、少なくとも２対の光ファイバを必要とするので、光ファイバ素子の数も２倍に増加する。従って、図１に示す単方向ＷＤＭ−ＡＤＭの利用効率を改善し、光ファイバの構成要素が増加されることなく光ファイバの利用効率を向上させるために、同一の光ファイバを通して両方向に光信号を伝送することのできる両方向ＷＤＭ−ＡＤＭが提案された。
【０００６】
図２Ａ及び図２Ｂは、同一の光ファイバを通して光信号が伝送できる従来の両方向ＷＤＭ−ＡＤＭ光伝送システムの構成を示し、図３は、従来の両方向ＷＤＭ−ＡＤＭの詳細構成を示す。前記従来の両方向ＷＤＭ−ＡＤＭは、両方向光信号を逆多重化し、前記逆多重化された信号を単方向ＷＤＭ−ＡＤＭのように処理した後、多重化して両方向に光信号を伝送する。
【０００７】
図２Ａ及び図２Ｂを参照すると、前記従来の両方向ＷＤＭ光伝送システムは、“Ｗｅｓｔ”の送受信部２１０ａ（２１０ｂ）、“Ｅａｓｔ”の送受信部２３０a（２３０ｂ）、及び両方向ＷＤＭ−ＡＤＭ２２０a（２２０ｂ）からなる。前記送受信部２１０ａ（２１０ｂ）及び２３０ａ（２３０ｂ）は、複数の伝送ノードＴＰ（Ｔｘ）と、 受信ノード（ＲＸ）と、前記伝送ノードＴＰ（Ｔｘ）の光信号を多重化する多重化器Ｍｕｘと、光ファイバを通して受信される光信号を逆多重化器Ｄｅｍに提供し、前記多重化器Ｍｕｘから出力される光伝送信号を前記光ファイバに提供するために光信号の経路を設定する光サーキュレーター（optical circulator：Ｃｉｒ）とをそれぞれ含む。さらに、前記送受信部２１０ａ（２１０ｂ）及び２３０ａ（２３０ｂ）は、多重化された状態で減衰された両方向光伝送信号を増幅する光増幅器（Optical Amplifier: ＯＡ）またはエルビウム添加光ファイバ増幅器（Erbium Doped Fiber Amplifier: ＥＤＦＡ）と、高速に伝送される光伝送信号が通過する光ファイバで発生する色分散を補償する分散補償モジュール（Dispersion Compensation Module：ＤＣＭ）または分散補償ファイバ（Dispersion Compensation Fiber：ＤＣＦ）をそれぞれ含む。
【０００８】
図２Ａ、図２Ｂ、及び図３に示すように、前記両方向ＷＤＭ−ＡＤＭ２２０ａ（２２０ｂ）は、それぞれ順方向（west→east）光信号経路または逆方向（east→west）光信号経路を設定する光サーキュレーター（optical circulator：Ｃｉｒ）と、２対の多重化器Ｍｕｘ及び逆多重化器Ｄｅｍから構成されて、一対は“Ｅａｓｔ”側に、他対は“Ｗｅｓｔ”側に設置され、チャネルに／から光信号をアッド／ドロップするアッド／ドロップ多重化器ＡＤＭとを備える。前記ＡＤＭにおいて、前記多重化器Ｍｕｘの出力ノード及び前記逆多重化器Ｄｅｍの入力ノードは、通常、関連した光ファイバ増幅器ＥＤＦＡに連結される。また、前記両方向ＷＤＭ−ＡＤＭ２２０ａ（２２０ｂ）は、“Ｅａｓｔ”方向及び“Ｗｅｓｔ”方向に前記分散補償器ＤＣＭ（または、ＤＣＦ）をさらに含む。
【０００９】
前記従来の両方向ＷＤＭ−ＡＤＭ光伝送システムにおいて、光ファイバは、前記両方向ＷＤＭ−ＡＤＭ２２０ａ（２２０ｂ）を通して前記送受信部２１０ａ（２１０ｂ）及び２３０ａ（２３０ｂ）間に光信号を伝送する。従って、図１に示す前記単方向ＷＤＭ−ＡＤＭ光伝送システムとは違って、前記両方向ＷＤＭ−ＡＤＭ光伝送システムは、同一の光ファイバを共有することができる。しかしながら、図１に示す前記単方向ＷＤＭ−ＡＤＭ光伝送システムと比較して、前記両方向ＷＤＭ−ＡＤＭ２２０ａ（２２０ｂ）は、前記光信号の経路を調節するために複数の光サーキュレーターを別途に備えなければならないので、光素子の数が増加するようになる。
【００１０】
さらに、図４のように、前記両方向ＷＤＭ−ＡＤＭ光伝送システムは、それぞれ“Ｗｅｓｔ”の光信号伝送のためには下位波長帯域を、“Ｅａｓｔ”の光信号の伝送のためには上位波長帯域を使用する。従って、前記波長帯域の使用効率は、前記単方向ＷＤＭ−ＡＤＭと比較して変わらない。
【００１１】
【発明が解決しようとする課題】
本発明の目的は、簡単で効率の高い両方向ＷＤＭ−ＡＤＭ及び、それを備える両方向ＷＤＭ光伝送システムを提供することにある。
【００１２】
【課題を解決するための手段】
前記目的を達成するために、本発明は、送信の前にマルチチャネルの光信号を多重化し、受信されたマルチチャネルの光信号を逆多重化する第１及び第２送受信部と、前記第１送受信部から受信された光信号のチャネル及び前記第２送受信部から受信された光信号のチャネルをインターリービングし、前記インターリービングされた光信号をチャネル別にアッド／ドロップし、前記アッド／ドロップされた光信号を第１光信号及び第２光信号にデインターリービングし、前記第１及び第２光信号を前記第１及び第２送受信部に提供する両方向ＷＤＭ−ＡＤＭと、を含む両方向ＷＤＭ光伝送システムを提供する。
【００１３】
前記ＷＤＭ−ＡＤＭは、前記第１ノードで受信された前記順方向光信号及び前記第２ノードで受信された前記逆方向光信号をインターリービングして前記第３ノードを通して出力する第１インターリーバと、前記第１インターリーバから出力された前記インターリービングされた光信号に／から選択されたチャネルをアッドまたはドロップするアッド／ドロップ多重化器と、前記アッド／ドロップ多重化器から第３ノードで受信された光信号をチャネル別に前記順方向光信号及び前記逆方向光信号にデインターリービングし、前記デインターリービングされた順方向光信号及び前記逆方向光信号をそれぞれ前記第２及び第１ノードを通して出力する第２インターリーバと、を含むことが望ましい。
【００１４】
さらに、前記本発明のＷＤＭ−ＡＤＭは、前記アッド／ドロップ多重化器の入力ノード及び出力ノードにそれぞれ提供される第１及び第２光増幅器と、前記第１インターリーバの第３ノードと前記アッド／ドロップ多重化器の入力ノードとの間に提供される色分散補償モジュールと、を含む。
【００１５】
【発明の実施の形態】
以下、本発明による好適な一実施形態を添付図面を参照しつつ詳細に説明する。下記説明において、本発明の要旨を明確にするために関連した公知機能または構成に対する具体的な説明は省略する。
【００１６】
図５Ａ及び図５Ｂは、本発明の実施形態による両方向ＷＤＭ−ＡＤＭ光伝送システムの構成を示す。図６は、本発明の実施形態による両方向ＷＤＭ−ＡＤＭの構成を示す略図である。まず、図５Ａ及び図５Ｂを参照すると、本発明による両方向ＷＤＭ−ＡＤＭ光伝送システムは、“Ｗｅｓｔ”の送受信部５１０ａ及び５１０ｂ、“Ｅａｓｔ”の送受信部５３０ａ及び５３０ｂ、両方向ＷＤＭ−ＡＤＭ５２０ａ及び５２０ｂからなる。それぞれの送受信部５１０ａ、５１０ｂ、５３０ａ、５３０ｂは、複数の伝送ノード（ＴＰ、Ｔｘ）及び受信ノード（ＲＸ）と、前記伝送ノード（ＴＰ、Ｔｘ）の光信号を多重化する多重化器Ｍｕｘと、前記光ファイバを通して受信される光信号を前記逆多重化器Ｄｅｍに提供し、前記多重化器Ｍｕｘから出力される光伝送信号を前記光ファイバに提供するように光信号の経路を設定する光サーキュレーターＣｉｒとを含む。また、それぞれの送受信部５１０ａ、５１０ｂ、５３０ａ、５３０ｂは、多重化されて減衰された両方向光伝送信号を増幅する光増幅器ＯＡまたはＥＤＦＡ、及び高速に伝送される光伝送信号が通過する光ファイバで発生する色分散を補償する分散補償モジュールＤＣＭまたは分散補償ファイバＤＣＦをさらに含む。
【００１７】
図５Ａ、図５Ｂ、及び図６に示すように、本発明による両方向ＷＤＭ−ＡＤＭ５２０ａ及び５２０ｂは、それぞれの入力ノードの光信号の経路を対応する出力ノードにスイッチングする光サーキュレーターＣｉｒ１、Ｃｉｒ２と、逆多重化器Ｄｅｍ及び多重化器Ｍｕｘから構成されて、所望する光信号をアッド及びドロップするアッド／ドロップ多重化器ＡＤＭとをそれぞれ備える。前記ＡＤＭにおいて、前記多重化器Ｍｕｘの出力ノード及び前記逆多重化器Ｄｅｍの入力ノードは、関連した光ファイバ増幅器ＥＤＦＡ（または、ＯＡ）に連結される。また、本発明による前記両方向ＷＤＭ−ＡＤＭ５２０ａ及び５２０ｂは、“Ｅａｓｔ”方向及び“Ｗｅｓｔ”方向に分散補償器ＤＣＭ（または、ＤＣＦ）をさらに備える。
【００１８】
さらに、前記両方向ＷＤＭ−ＡＤＭ５２０ａ及び５２０ｂは、第１及び第２ノードを通して受信される光信号を波長別にインターリービングし、前記インターリービングされた光信号を第３ノードに出力することで、隣接チャネル間の間隔を狭くするインターリーバＩＬ１、ＩＬ２を備える。また、それぞれの前記インターリーバＩＬ１、ＩＬ２は、前記第３ノードで受信される光信号を波長別にデインターリービングし、前記デインターリービングされた光信号を前記第１及び第２ノードに出力する。
【００１９】
本発明による前記両方向ＷＤＭ−ＡＤＭ５２０ａ及び５２０ｂにおいて、第１方向（Ｗｅｓｔ）から受信される光信号は、前記第１光サーキュレーターＣｉｒ１を通して前記第１インターリーバＩＬ１の第１ノードに入力され、第２方向（Ｅａｓｔ）から受信される光信号は、前記第２光サーキュレーターＣｉｒ２を通して前記第１インターリーバＩＬ１の第２ノードに入力される。前記第１インターリーバＩＬ１は、前記第１及び第２ノードで受信される光信号を波長別にインターリービングし、前記インターリービングされた光信号を第３ノードを通して前記ＡＤＭに提供する。前記ＡＤＭの出力は、前記第２インターリーバＩＬ２の第３ノードに入力される。前記第２インターリーバＩＬ２は、第３ノードで受信された光信号を波長別にデインターリービングし、前記デインターリービングされた光信号を第１及び第２ノードを通してそれぞれ前記第１及び第２光サーキュレーターＣｉｒ１、Ｃｉｒ２に相違する方向に出力する。
【００２０】
ここで、本発明による前記両方向 ＷＤＭ−ＡＤＭ５２０ａ及び５２０ｂの動作を図５Ｂ及び図６を参照してより詳細に説明する。本発明による両方向ＷＤＭ−ＡＤＭ光伝送システムにおいて、左側（Ｗｅｓｔ）送受信部５１０ｂから出力される奇数番目の光信号Ｔｘ１、Ｔｘ３、Ｔｘ５、Ｔｘ７は、第１多重化器Ｍｕｘ１、光サーキュレーターＣｉｒ、及び光ファイバＦｉｂｅｒ１を通して前記両方向ＷＤＭ−ＡＤＭ５２０ｂの第１光サーキュレーターＣｉｒ１に入力される。同様に、右側（Ｅａｓｔ）送受信部５３０ｂから出力された偶数番目の光信号Ｔｘ２、Ｔｘ４、Ｔｘ６、Ｔｘ８は、第２多重化器Ｍｕｘ２、光サーキュレーターＣｉｒ、及び光ファイバＦｉｂｅｒ２を通して前記両方向ＷＤＭ−ＡＤＭ５２０ｂの第２光サーキュレーターＣｉｒ２に入力される。
【００２１】
前記両方向ＷＤＭ−ＡＤＭ５２０ｂにおいて、前記“Ｗｅｓｔ”の送受信部５１０ｂから出力される光信号は、前記第１光サーキュレーターＣｉｒ１を通して前記第１インターリーバＩＬ１の第１ノードに提供され、前記Ｅａｓｔ送信部５３０ｂから出力される光信号は、前記第２光サーキュレーターＣｉｒ２を通して前記第１インターリーバＩＬ１の第２ノードに提供される。
【００２２】
前記第１インターリーバＩＬ１は、図７に示すように、前記第１ノードで受信される奇数番目の波長の光信号及び前記第２ノードで受信される偶数番目の波長の光信号を相互インターリービングし、前記インターリービングされた光信号を前記分散補償モジュールＤＣＭ２を通して前記ＡＤＭに提供する。
【００２３】
図６を参照すると、前記ＡＤＭにおいて、前記入力された光信号は、光増幅器ＥＤＦＡ（ＯＡ５）によって増幅され、逆多重化器Ｄｅｍ３によって波長別に逆多重化される。前記逆多重化された光信号のうち、前記ノードで所望する光信号はドロップされ、残りの光信号及び新しくアッドされた光信号は、前記多重化器Ｍｕｘ３によって多重化された後、光増幅器ＥＤＦＡ（ＯＡ６）を通して前記第２インターリーバＩＬ２の第３ノードに出力される。
【００２４】
前記第２インターリーバＩＬ２の第３ノードで入力された光信号は、奇数チャネル及び偶数チャネルにデインターリービングされる。前記奇数チャネルは、前記第２インターリーバＩＬ２の第２ノード及び前記第２光サーキュレーターＣｉｒ２を通して“Ｅａｓｔ”の伝送光ファイバＦｉｂｅｒ２に提供され、前記偶数チャネルは、前記第２インターリーバＩＬ２の第１ノード及び前記第１光サーキュレーターＣｉｒ１を通して“Ｗｅｓｔ”の伝送光ファイバＦｉｂｅｒ１に提供される。
【００２５】
その後、前記奇数チャネルは、図５Ｂに示されるように、前記光サーキュレーターＣｉｒ、前記分散補償モジュールＤＣＭ３、及び前記光増幅器ＯＡ４を通して前記“Ｅａｓｔ”の送受信部５３０ｂに到達した後、前記逆多重化器Ｄｅｍ２によって波長別に逆多重化される。前記逆多重化された偶数チャネルは、それぞれ奇数番目の受信ノードＲｘ１、Ｒｘ３、Ｒｘ５、Ｒｘ７に提供される。同様に、前記偶数チャネルは、前記光サーキュレーターＣｉｒ、前記分散補償モジュールＤＣＭ１、及び前記光増幅器ＯＡ２を通して前記“Ｗｅｓｔ”の送受信部５１０ａに到達した後、前記逆多重化器Ｄｅｍ１によって波長別に逆多重化される。前記逆多重化された偶数番目のチャネルは、それぞれ偶数番目の受信ノードＲｘ２、Ｒｘ４、Ｒｘ６、Ｒｘ８に提供される。
【００２６】
一方、前記本発明の詳細な説明では具体的な実施形態に挙げて説明してきたが、本発明の範囲内で様々な変形が可能であるということは勿論である。従って、本発明の範囲は前記実施形態によって限られるべきでなく、特許請求の範囲とそれに均等なものによって定められるべきである。
【００２７】
【発明の効果】
前述してきたように、本発明による前記両方向ＷＤＭ−ＡＤＭ光伝送システムは、従来の両方向ＷＤＭ−ＡＤＭ光伝送システムと比較して、簡単な構造を使用して両方向伝送を支援することで前記光ファイバ内の伝送効率を向上させることができる。前記本発明の光伝送システムは、従来の光伝送システムと比較して、前記インターリーバをさらに備えるにもかかわらず、前記色分散補償モジュールＤＣＭ、前記光増幅器ＯＡ、前記多重化器Ｍｕｘ、及び逆多重化器Ｄｅｍの数が少なくなるので、前記システムのコストを低減することができる。さらに、前記本発明の光伝送システムは、一方に進行する波長及び他方に進行する波長を相互インターリービングすることによって、前記波長帯域を半分に低減することができる。従って、前記新しい光伝送システムは、波長の利用効率が高い。さらに、両方向伝送を支援しながらも、前記新しい光伝送システムは、複雑な両方向光増幅器の代わりに、前記単方向光増幅器を使用するので、システムの安定化が達成できる。
【図面の簡単な説明】
【図１】  従来の単方向ＷＤＭ−ＡＤＭ光伝送システムの構成を示す図である。
【図２Ａ】  従来の両方向ＷＤＭ−ＡＤＭ光伝送システムの構成を示す図である。
【図２Ｂ】  従来の両方向ＷＤＭ−ＡＤＭ光伝送システムの構成を示す図である。
【図３】  従来の両方向ＷＤＭ−ＡＤＭの構成を示す図である。
【図４】  従来の両方向ＷＤＭ−ＡＤＭの波長配置を示す図である。
【図５Ａ】  本発明の実施形態による両方向ＷＤＭ−ＡＤＭ光伝送システムの構成を示す図である。
【図５Ｂ】  本発明の実施形態による両方向ＷＤＭ−ＡＤＭ光伝送システムの構成を示す図である。
【図６】  本発明の実施形態による両方向ＷＤＭ−ＡＤＭの構成を示す図である。
【図７】  本発明の実施形態による両方向ＷＤＭ−ＡＤＭの波長配置を示す図である。
【符号の説明】
５１０ａ、５１０ｂ  “Ｗｅｓｔ”の送受信部
５２０ａ、５２０ｂ  両方向ＷＤＭ−ＡＤＭ
５３０ａ、５３０ｂ  “Ｅａｓｔ”の送受信部
【図１】
0003751248.tif 000002
【図２Ａ】
0003751248.tif 000003
【図２Ｂ】
0003751248.tif 000004
【図３】
0003751248.tif 000005
【図４】
0003751248.tif 000006
【図５Ａ】
0003751248.tif 000007
【図５Ｂ】
0003751248.tif 000008
【図６】
0003751248.tif 000009
【図７】
0003751248.tif 000010